(57)【要約】【課題】  ＬＥＤを光源にした収納位置と使用位置とに移動可能な照明装置において、大型化を抑えてＬＥＤから発生する熱を放熱することができるようにする。【解決手段】  ＬＥＤを光源とする発光部と、筐体と、を有し、前記発光部が前記筐体に収納された収納位置と前記筐体から突出した使用位置とに移動可能な照明装置であって、前記ＬＥＤを面実装する放熱基板と、前記ＬＥＤからの光を射出する射出面と、前記ＬＥＤからの光を前記射出面へ向けて反射する反射面と、を有し、前記放熱基板は、前記射出面と平行でない面に配置される。【選択図】  図１
2019056787.tif 000002
【特許請求の範囲】
【請求項１】
ＬＥＤを光源とする発光部と、筐体と、を有し、前記発光部が前記筐体に収納された収納位置と前記筐体から突出した使用位置とに移動可能な照明装置であって、
前記ＬＥＤを面実装する放熱基板と、
前記ＬＥＤからの光を射出する射出面と、
前記ＬＥＤからの光を前記射出面へ向けて反射する反射面と、を有し、
前記放熱基板は、前記射出面と平行でない面に配置されることを特徴とする照明装置。
【請求項２】
前記放熱基板と隣接する壁面には外部へ貫通する通気口が形成されていることを特徴とする請求項１に記載の照明装置。
【請求項３】
前記筐体は、撮像装置本体であって、
前記放熱基板は、前記発光部が収納位置にあるときに前記撮像装置本体のファインダーユニットと対向し、前記発光部が使用位置にあるときに前記ファインダーユニットから離間する位置に配置されることを特徴とする請求項１または２に記載の照明装置。
【請求項４】
前記発光部と前記筐体を連結する一対の脚部を有し、
前記一対の脚部は、前記発光部が収納位置にあるときに前記ファインダーユニットを挟む位置に配置され、
前記放熱基板は、前記一対の脚部の少なくとも一方に配置されることを特徴とする請求項３に記載の照明装置。
【請求項５】
前記放熱基板は、一端側に前記ＬＥＤが配置され、他端側が前記撮像装置本体に連結されることを特徴とする請求項４に記載の照明装置。
【請求項６】
前記放熱基板は、高熱伝導率の材料であることを特徴とする請求項１ないし５のいずれか１項に記載の照明装置。
【発明の詳細な説明】
【技術分野】
【０００１】
本発明は照明装置に関し、特にＬＥＤを光源として用いるポップアップ機能を有した照明装置に関するものである。
【背景技術】
【０００２】
カメラに内蔵される照明装置は、発光部がカメラ本体に固定されたタイプと、特許文献１に開示されるような、発光部を使用時にカメラレンズの光軸から離れた位置へ移動する所謂ポップアップ機能を有するタイプが存在する。
【０００３】
ところで、近年のカメラは動画撮影機能を搭載するものが標準となっており、従来のキセノン管による閃光発光を行う照明装置に加えて、ＬＥＤライト等の連続点灯可能な補助灯の必要性が増している。例えば、特許文献２には、主光源とは別にＬＥＤライトを有する照明装置が提案されている。
【先行技術文献】
【特許文献】
【０００４】
【特許文献１】特開２０１４−１６４１５０号公報
【特許文献２】特開２０１５−２８５２４号公報
【発明の概要】
【発明が解決しようとする課題】
【０００５】
しかしながら、連続点灯するＬＥＤを照明装置の光源として用いる場合はＬＥＤから発生する熱の対策が課題となる。熱対策が十分に行われないと短時間でＬＥＤが劣化して光量が低下したり点灯できなくなるおそれがある。特許文献２のようにカメラに着脱可能な照明装置であれば、ＬＥＤから発生する熱を放熱するために面積の大きい放熱基板を設けることは可能であるが、ポップアップ機能を有するタイプの場合、ＬＥＤの近傍に面積の大きい放熱基板を設けることは困難である。
【０００６】
そこで本発明は、ＬＥＤを光源にした収納位置と使用位置とに移動可能な照明装置において、大型化を抑えてＬＥＤから発生する熱を放熱することができるようにすることを目的とする。
【課題を解決するための手段】
【０００７】
上記目的を達成するために、本願発明にかかる照明装置は、ＬＥＤを光源とする発光部と、筐体と、を有し、前記発光部が前記筐体に収納された収納位置と前記筐体から突出した使用位置とに移動可能な照明装置であって、前記ＬＥＤを面実装する放熱基板と、前記ＬＥＤからの光を射出する射出面と、前記ＬＥＤからの光を前記射出面へ向けて反射する反射面と、を有し、前記放熱基板は、前記射出面と平行でない面に配置されることを特徴とする。
【発明の効果】
【０００８】
本発明によれば、ＬＥＤを光源にした収納位置と使用位置とに移動可能な照明装置において、大型化を抑えてＬＥＤから発生する熱を放熱することができる。
【図面の簡単な説明】
【０００９】
【図１】本願発明の実施例１にかかるポップアップ機能を有する照明装置４を備えたカメラ２の断面図
【図２】実施例１における照明装置４近傍の分解斜視図
【図３】実施例１における部品が組み込まれた状態の照明装置４の内部構造を示した斜視図
【図４】実施例１におけるカメラ２の外観斜視図
【図５】実施例２における照明装置４の構成を示す図
【図６】実施例２における照明装置４の内部構造を示した斜視図
【図７】実施例２における部品が組み込まれた状態の照明装置４の内部構造を示した斜視図
【図８】実施例２におけるカメラ２の外観斜視図
【発明を実施するための形態】
【００１０】
（実施例１）
以下に、本願発明の好ましい実施の形態を添付の図面に基づいて説明する。
【００１１】
図１は、本願発明の実施例１にかかるポップアップ機能を有する照明装置４を備えた撮像装置であるカメラ２の断面図である。図１（ａ）は、照明装置４が使用位置にある状態（以下、使用可能状態とする）の断面図、図１（ｂ）は照明装置４が収納位置にある状態（収納状態）の断面図である。本実施例では、被写体側を前方、撮影者側を後方とする。
【００１２】
図２は、照明装置４近傍の分解斜視図、図３は、部品が組み込まれた状態の照明装置４の内部構造を示した斜視図である。図４は、カメラ２の外観斜視図であって、図４（ａ）は、照明装置４が使用可能状態にあるカメラ２の外観斜視図、図４（ｂ）は、照明装置４が収納状態にあるカメラ２の外観斜視図である。
【００１３】
本実施例のカメラ２は一眼レフタイプのデジタルカメラであり、カメラ上部の外装部材であるトップカバー３の中央に形成された突出部３ａ内にはファインダーユニット８が設けられている。ファインダーユニット８は、、ペンタプリズム６および接眼レンズ群７などで構成され、クイックリターンミラー５によって上方に折り返された撮影レンズ１からの光束をピント板９を介して観察することができる。
【００１４】
カバー１２、ケース１３は照明装置４の収納ケースを構成する外装部材であり、照明装置４は収納状態において前記突出部３ａをコの字型に取り囲む形態をなしている。照明装置４の前方にはフレネルパネル１１を含む後述する発光部２０が設けられている。外観上に見えるフレネルパネル１１の表面には被写体への照射光を射出するフレネルレンズが形成された射出面１１ａを有する。
【００１５】
ケース１３には、発光部２０と撮像装置本体とを連結する一対の脚部１３ａがある。発光部２０から後方へ向かって突出部３ａの側方を延伸するケース１３の脚部１３ａの先端にはリード線通し穴１３ｅと、リード線通し穴１３ｅと同軸で脚部１３ａの内側に突出する不図示のボスが形成されている。ボスは突出部３ａ側面に形成された穴３ｂに回動可能な状態で嵌合する。脚部１３ａに対向するもう一方の脚部１３ｂの先端の穴１３ｆには付勢バネ１８を保持する軸ビス１９が挿しこまれ、軸ビス１９が突出部側面に締結されることにより、ケース１３、即ち照明装置４はトップカバー３に回動可能に保持される。付勢バネ１８は、照明装置４前方を持ち上げる方向に付勢力を発生する。
【００１６】
さらに、トップカバー３の突出部３ａの両側面にはリンク部材１７がリンク軸ビス３１により回動可能に取り付けられており、他端側の係合軸１７ｂがケース脚部１３ａ、１３ｂを構成する壁面１３ｈ、１３ｉに貫通形成された摺動溝１３ｃ、１３ｄと係合する。リンク部材１７は照明装置４が収納状態にある時は係合軸１７ｂが摺動溝１３ｃ、１３ｄの前方に位置するが、ポップアップ時には図１の（ａ）に示されるように摺動溝１３ｃ、１３ｄの後方終端に移動して照明装置４の回転を規制する。
【００１７】
フック３０は、トップカバー３内に設置された駆動機構で揺動し、収納状態でケース１３と係合して照明装置４を保持し、ポップアップ時には駆動機構により係合を解除し、照明装置４は付勢バネ１８の付勢力によって撮像装置本体に対して上方へ回動する。
【００１８】
次に、照明装置４の内部構造について説明する。
【００１９】
ケース１３前方において、収納状態においてトップカバー３の突出部３ａに対向する壁面１３ｒには、複数のＬＥＤ１５が面実装された板状の放熱基板１６が、自身の平面が壁面１３ｒの平面と略平行となるように、壁面１３ｒに隣接して設置される。すなわち、放熱基板１６は、発光部２０が収納位置にあるときにファインダーユニット８と対向する。放熱基板１６は、溝部１６ａがケース１３に形成されたリブ１３ｋに嵌り込むことで左右方向の位置決めがなされる。また、放熱基板１６は、アルミ等の熱の伝導率が高い（高熱伝導率）材料を素材とし、絶縁体を介して表面に不図示の回路パターンがプリントされている。面実装タイプのＬＥＤ１５は、放熱基板１６上の回路パターンに直接実装され、ＬＥＤ１５が発光時に生ずる熱は放熱基板１６に分散し空気中へ放熱される。このような放熱基板１６は、厚みがある上に表面にプリントされた絶縁体や回路パターンの破断の問題があるため、通常曲げ加工を行うのは困難であり単一の板状である。熱基板１６は、発光部２０が使用位置にあるときにファインダーユニット８から離間するため、使用位置にあるときはより放熱効果が得られる。
【００２０】
放熱基板１６の端にはＬＥＤ１５駆動用電力を供給するためのリード線２１が設けられていて、各リード線２１は脚部１３ａにあるリード線通し穴１３ｅを通りカメラ２内部の駆動回路と接続される。放熱基板１６が隣接する壁面１３ｒには外部へ貫通する複数の通気口１３ｊが形成されており、使用可能状態では、放熱基板１６は通気口１３ｊを介して外部に露出する。
【００２１】
ケース１３前方の２本の腕部１３ｑには、フレネルパネル１１が設置される。なお、このままでは放熱基板１６上に実装されるＬＥＤ１５の光束の光軸と、フレネルパネル１１の射出面１１ａの光軸が一致しない。そのために、フレネルパネル１１と放熱基板１６の間に、ＬＥＤ１５からの光束を屈曲させてフレネルパネル１１へと向かわせる反射面１４ａを有する、高輝度アルミ等で作られたミラー部材１４を設置する。以下では、フレネルパネル１１とミラー部材１４を光学部、光学部に光源であるＬＥＤ１５を加えて発光部とする。
【００２２】
上記の各部品をケース１３上に設置した後にカバー１２が後方のフック１２ａによる係合と前方のビス２２による締結によって固定される。そして、カバー１２内面に設けられた不図示のリブ類により挟持されることでフレネルパネル１１、ミラー部材１４、放熱基板１６が照明装置４内部で固定される。
【００２３】
ＬＥＤ１５から発する光束の光軸とフレネルパネル１１の照射光の光軸が一致させるためには、放熱基板１６をフレネルパネルの射出面１１ａと平行な状態で配置することが考えられる。その場合、照明装置４前方の限られたスペースの中では放熱基板１６の大きさに限界があり、放熱を十分行うことができない。放熱基板１６を単純な板状のものから複雑なフィンを持つ一体成形品にしてスペース内に収まるような形状とするする方法も考えられるが、大幅なコストの上昇や重量増によるポップアップ機能への弊害を生ずるおそれもある。
【００２４】
そこで本願発明では、ミラー部材１４を追加することで、反射面１４ａによるＬＥＤ１５の光束の屈曲により放熱基板１６のレイアウトに自由度を持たせる。そして、放熱基板１６を、射出面１１ａと平行でない面であって大型化させやすい壁面に隣接するように配置する。
【００２５】
また、このような構成では、発光部４の狭いスペースの中で光学特性を有するフレネルレンズとＬＥＤの間に所定以上の距離を設けることができる以下の利点が生まれる。第１に、フレネルパネル１１に形成されるフレネルレンズ等の光学特性が得やすいことが挙げられる。スペースに収めるために両者の間隔を縮めすぎると、フレネルパネル１１のフレネルレンズ部に極端に短い焦点距離を与えなければならない等光学設計が困難になる。また、パワーを上げるためにフレネルレンズのフレネル角度をきつくしなければならないため成形性に支障が出る。
【００２６】
第２に、フレネルレンズが持つ集光もしくは拡散もしくは双方の光学特性の作用により、被写体側から発光部を覗き込んだ際に発光源であるＬＥＤ１５の眩しさを軽減できることが挙げられる。
【００２７】
例えば、ストロボ装置を含めた照明装置のフレネルレンズの光学特性は一般的に正のパワーを有するが、この場合フレネルレンズを介して被写体側から見えるＬＥＤは見かけ上大きく見え僅かながらだが眩しさが軽減する。これはズーム機能を持つストロボ装置において発光源であるキセノン管がフレネルレンズから遠ざかるテレ側となるほど、フレネルレンズを介して見たキセノン管の見かけが大きくなることからもわかる。
【００２８】
上記のフレネルレンズの正のパワーによる拡大効果は、照明装置が所望する配光角との兼ね合いになるので著しい効果を得ることができない可能性があるが、フレネルパネルに拡散特性を併せ持たせることで効果を補完することが可能である。なお、フレネルレンズ表面に拡散面を追加して光源であるＬＥＤ１５が拡散面から遠ざかるほどＬＥＤ１５がぼやけて見えるようにしてもよい。
【００２９】
さらに、放熱基板１６をケース１３内の任意の壁面に隣接して配置できるため、照明装置４が収納状態では外部から見えず、使用可能状態でも目立ちにくいケース１３の内側の壁面１３ｒに放熱基板１６の放熱を促進する通気口１３ｊを形成することができる。そのため、デザイン性を損なうことなく放熱性に優れた照明装置を提供することができる。
【００３０】
（実施例２）
実施例２では、実施例１と異なる照明装置の構成と放熱基板の配置について説明を行い、他は詳細な説明を省略する。
【００３１】
図５は、実施例２における照明装置４の構成を示す図であり、図５（ａ）は、使用可能状態にある照明装置４断面図、図５（ｂ）は、使用可能状態にある照明装置４を上方から見た図、図５（ｃ）は、照明装置４を図５（ａ）の矢印Ａ方向から見た図である。
【００３２】
図６は、実施例２における照明装置４の内部構造を示した斜視図、図７は、部品が組み込まれた状態の照明装置４の内部構造を示した斜視図、図８は、実施例２におけるカメラ２の外観斜視図である。
【００３３】
図８において実施例１の照明装置と外観上異なる点は、フレネルパネル５１の射出面５１ａに形成されたフレネルレンズが二つに分かれた形状を成している点である。
【００３４】
ケース５３の一対の脚部５３ａ、５３ｂに形成された壁面５３ｈ、５３ｉは、照明装置４収納時にトップカバー３の突出部３ａの両側に対向して位置する。そして、壁面５３ｈ、５３ｉの平面と略平行となるように壁面５３ｈ、５３ｉに隣接して、一端側にＬＥＤ１５が実装された細長い板状の放熱基板５６、５７が設けられている。すなわち、放熱基板５６、５７は、発光部２０が収納位置にあるときに撮像装置本体のファインダーユニット８と対向する。放熱基板５６、５７は、図５（ｃ）に見られるようにカバー５２のデザイン上の絞り込みに合わせて僅かながらではあるがＬＥＤ１５が実装された一端側の距離が他端側より短いハの字状に配列される。放熱基板５６、５７は、それぞれに形成された溝部５６ａ、５７ａがケース５３に形成されたリブ５３ｎに嵌り込むことで前後方向の位置決めがなされる。さらに、放熱基板５６、５７は、実施例１と同様にアルミ等の伝導率が高い材料を用いた回路基板であり、ＬＥＤ１５発光時に生ずる熱の分散・放熱を図る。放熱基板５６、５７の端にはＬＥＤ１５駆動用のリード線が接続されているが放熱基板５７側のリード線はケース５３上部に形成された配線溝５３ｐを通り脚部５３ａ側に移りリード線通し穴５３ｅを介してカメラ内部の駆動回路と接続される。
【００３５】
放熱基板５６、５７が隣接する壁面５３ｈ、５３ｉには外部へ貫通する通気口５３ｊ、５３ｋが形成されるとともに、実施例１中にて説明したリンク部材１７が係合する摺動溝５３ｃ、５３ｄも通気口として機能する。実施例１と同様にポップアップ時において放熱基板５６、５７は通気口５３ｊ、５３ｋと摺動溝５３ｃ、５３ｄを介して外部に露出する。
【００３６】
ケース前方の腕部５３ｑには、２つのフレネルレンズが形成された射出面５１ａを有し、集光・拡散のいずれかもしくは双方の光学特性を持つフレネルパネル５１が設置される。さらに、実施例２におけるフレネルパネル５１にはさらに、放熱基板５６、５７に実装されたＬＥＤ１５にそれぞれに対応する反射面５１ｂ、５１ｃを有する２つのプリズム部５１ｄ、５１ｅが一体形成されている。各ＬＥＤ１５から発した光束は発光部内を左右方向に進みすぐにプリズム部５１ｄ、５１ｅへ入射し、反射面５１ｂ、５１ｃによって屈曲し前方の射出面５１ａへと向かう。
【００３７】
以上が実施例２における照明装置の構成であるが、放熱基板５６、５７を照明装置内の前後方向に沿う脚部１３ａ、１３ｂに配置した理由は以下の通りである。
【００３８】
前述したとおりＬＥＤ１５が発する熱を処理するためには放熱基板を大きくすることが必要である。しかしながら、実施例１のように放熱基板全体がそのまま照明装置４の先端部にあると、放熱基板の重量により照明装置４の回動軸周りのモーメントが増し、付勢バネによるポップアップ動作に支障をきたすおそれがある。この場合、ポップアップ動作のために付勢バネを強化すると、付勢力の増加により照明装置を収納状態で係止するフックとの係合摩擦力も増加し、例えば係止解除に用いるプランジャーの大型化によるコストアップや消費電力の増加の弊害も生ずる。
【００３９】
そこで、実施例２では重量物である放熱基板５６、５７を照明装置４の回動軸に近づく側へと延伸させて、熱分散と放熱に必要な面積を確保した上で、ポップアップ動作時の付勢力に反するモーメントの増加を軽減している。
【００４０】
なお、実施例２では、両側の脚部に放熱基板５６、５７をそれぞれ配置するものであったが、少なくとも一方の脚部に配置すればよい。また光束の屈曲にプリズム部を一体形成したフレネルレンズを使用しているが、実施例１と同様にミラー部材を使用するものでも構わない。
【００４１】
また、実施例１、２においてファインダーユニットをペンタプリズムを使用する所謂光学ファインダーとしたが、ＴＦＴ等を用いた電子ビューファインダーであっても構わない。
【００４２】
また、実施例１、２に示される各放熱基板に実装されるＬＥＤの数はこの限りではなく、ＬＥＤの発光能力や発熱量、ならびに放熱基板上の実装可能面積等に応じて多数のＬＥＤを実装するものであってもよい。
【００４３】
また、実施例１、２ではカメラに内蔵された照明装置の例を説明したが、筐体に収納された収納位置と筐体から突出した使用位置とに移動可能なＬＥＤを光源とする発光部を有する照明装置であればよい。
【符号の説明】
【００４４】
２  カメラ
４  照明装置
１５  ＬＥＤ
１６、５６、５７  放熱基板
【図１】
2019056787.tif 000003
【図２】
2019056787.tif 000004
【図３】
2019056787.tif 000005
【図４】
2019056787.tif 000006
【図５】
2019056787.tif 000007
【図６】
2019056787.tif 000008
【図７】
2019056787.tif 000009
【図８】
2019056787.tif 000010